【手続補正書】
【提出日】平成21年3月24日(2009.3.24)
【手続補正１】
【補正対象書類名】明細書
【補正対象項目名】特許請求の範囲
【補正方法】変更
【補正の内容】
【特許請求の範囲】
【請求項１】  １フィールドを複数のサブフィールドで構成し、連続した少なくとも２つ以上の前記サブフィールドによりサブフィールド群を形成し、前記サブフィールド群においては前記各サブフィールドの発光維持動作を終了せしめる消去初期化期間を前記最終サブフィールドのみに設けたプラズマディスプレイを駆動する方法であって、前記サブフィールド群において書き込み動作を行う場合のみ、前記サブフィールド群以前に配置されている前記サブフィールド群を除くサブフィールドのうち少なくとも１つ以上のサブフィールドを常時点灯させ、
前記常時点灯させるサブフィールドのうち少なくとも１つのサブフィールドは、後続において点灯する前記サブフィールド群の直前に配置されていることを特徴とするプラズマディスプレイパネルの駆動方法。
【請求項２】  前記常時点灯させるサブフィールドのうち少なくとも１つのサブフィールドの位置は、表示すべき映像データに対応した入力信号によって決まることを特徴とする請求項１記載の駆動方法。
【請求項３】  前記常時点灯させるサブフィールドのうち少なくとも１つのサブフィールドの発光輝度の重みは、表示すべき映像データに対応した入力信号によって決まることを特徴とする請求項１記載の駆動方法。
【請求項４】  前記常時点灯させるサブフィールドのうち少なくとも１つのサブフィールドは、直前のフィールドにおいて１フィールドを構成する前記各サブフィールドが発光維持動作した回数によって決まることを特徴とする請求項１記載の駆動方法。
【請求項５】  前記サブフィールド群を形成するサブフィールドの発光輝度の重みは前記サブフィールド群が点灯する場合でのみ前記サブフィールド群以前に点灯させるサブフィールドの発光輝度の重みによって決まることを特徴とする請求項１記載の駆動方法。
【請求項６】  １フィールドを複数のサブフィールドで構成し、連続した少なくとも２つ以上の前記サブフィールドによりサブフィールド群を形成し、前記サブフィールド群においては前記各サブフィールドの発光維持動作を終了せしめる消去初期化期間を前記最終サブフィールドのみに設けたプラズマディスプレイの駆動装置であって、前記サブフィールド群において書き込み動作を行う場合のみ、前記サブフィールド群以前に配置されている前記サブフィールド群を除くサブフィールドのうち少なくとも１つ以上のサブフィールドを常時点灯させ、
前記常時点灯させるサブフィールドのうち少なくとも１つのサブフィールドは、後続において点灯する前記サブフィールド群の直前に配置されていることを特徴とするプラズマディスプレイパネルの駆動装置。
【請求項７】  前記常時点灯させるサブフィールドのうち少なくとも１つのサブフィールドの位置は、表示すべき映像データに対応した入力信号によって決まることを特徴とする請求項６記載の駆動装置。
【請求項８】  前記常時点灯させるサブフィールドのうち少なくとも１つのサブフィールドの発光輝度の重みは、表示すべき映像データに対応した入力信号によって決まることを特徴とする請求項６記載の駆動装置。
【請求項９】  前記常時点灯させるサブフィールドのうち少なくとも１つのサブフィールドは、直前のフィールドにおいて１フィールドを構成する前記各サブフィールドが発光維持動作した回数によって決まることを特徴とする請求項６記載の駆動装置。
【請求項１０】  前記サブフィールド群を形成するサブフィールドの発光輝度の重みは前記サブフィールド群が点灯する場合でのみ前記サブフィールド群以前に点灯させるサブフィールドの発光輝度の重みによって決まることを特徴とする請求項６記載の駆動装置。
【手続補正２】
【補正対象書類名】明細書
【補正対象項目名】０００７
【補正方法】変更
【補正の内容】
【０００７】
【課題を解決するための手段】
以上の課題を解決するために、１フィールドを複数のサブフィールドで構成し、連続した少なくとも２つ以上の前記サブフィールドによりサブフィールド群を形成し、前記サブフィールド群においては前記各サブフィールドの発光維持動作を終了せしめる消去初期化期間を前記最終サブフィールドのみに設けたプラズマディスプレイを駆動する方法であって、前記サブフィールド群において書き込み動作を行う場合のみ、前記サブフィールド群以前に配置されている前記サブフィールド群を除くサブフィールドのうち少なくとも１つ以上のサブフィールドを常時点灯させ、前記常時点灯させるサブフィールドのうち少なくとも１つのサブフィールドは、後続において点灯する前記サブフィールド群の直前に配置されていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、前記常時点灯させるサブフィールドのうち少なくとも１つのサブフィールドの位置は、表示すべき映像データに対応した入力信号よって決まることを特徴とする。また、前記常時点灯させるサブフィールドのうち少なくとも１つのサブフィールドの発光輝度の重みは、表示すべき映像データに対応した入力信号によって決まることを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
【発明の実施の形態】
本発明の請求項１に記載の駆動方法は、１フィールドを複数のサブフィールドで構成し、連続した少なくとも２つ以上の前記サブフィールドによりサブフィールド群を形成し、前記サブフィールド群においては前記各サブフィールドの発光維持動作を終了せしめる消去初期化期間を前記最終サブフィールドのみに設けたプラズマディスプレイを駆動する方法であって、前記サブフィールド群において書き込み動作を行う場合のみ、前記サブフィールド群以前に配置されている前記サブフィールド群を除くサブフィールドのうち少なくとも１つ以上のサブフィールドを常時点灯させ、前記常時点灯させるサブフィールドのうち少なくとも１つのサブフィールドは、後続において点灯する前記サブフィールド群の直前に配置されていることを特徴とするプラズマディスプレイパネルの駆動方法である。これによりサブフィールド群において発光維持動作を行う場合、発光維持動作を行う先頭のサブフィールドの書き込み期間に至るまでの時間を最短にすることができ、活性化した放電セル内の放電ガスの状態を保持し、後続のサブフィールド群における書き込み動作に移行できるため、後続のサブフィールド群における書き込み動作をより確実に行うことができる。
【手続補正７】
【補正対象書類名】明細書
【補正対象項目名】００１７
【補正方法】変更
【補正の内容】
【００１７】
本発明の請求項２に記載の駆動方法は常時点灯させるサブフィールドのうち少なくとも１つのサブフィールドの位置は、表示すべき映像データに対応した入力信号によって決まることを特徴とするプラズマディスプレイの駆動方法である。これにより、発光維持動作を行う連続したサブフィールドにおける先頭のサブフィールドの位置により、サブフィールド群以前に配置された複数のサブフィールドのうち適当なサブフィールドを選択することができるため、サブフィールド群において書き込み動作を行うサブフィールドがサブフィールド群以前に配置されたサブフィールドに時間的に近い場合、遠い場合に比べて放電セル内が放電しやすい状態を保持できるため、遠い場合に比べて常時点灯させるサブフィールドの発光維持動作の回数を少なくすることができる。また表示したい階調により常時点灯させるサブフィールドの合計の発光輝度を制御できるため常時サブフィールドを点灯させることによる階調性の劣化を低減することができる。
【手続補正８】
【補正対象書類名】明細書
【補正対象項目名】００１８
【補正方法】変更
【補正の内容】
【００１８】
本発明の請求項３記載の駆動方法は常時点灯させるサブフィールドのうち少なくとも１つのサブフィールドの発光輝度の重みは、表示すべき映像データに対応した入力信号によって決まることを特徴とするプラズマディスプレイの駆動方法である。これにより発光維持動作を行う連続したサブフィールドにおける先頭のサブフィールドの位置により、サブフィールド群以前に配置されたサブフィールドの発光輝度に対応した重みを選択することができるため、サブフィールド群において書き込み動作を行うサブフィールドがサブフィールド群以前に配置されたサブフィールドに時間的に近い場合、遠い場合に比べて放電セル内が放電しやすい状態を保持できるため、遠い場合に比べて常時点灯させるサブフィールドの発光維持動作の回数を少なくすることができる。またこれにより常時サブフィールドを点灯させることによる階調性の劣化を低減することができる。またこれによりサブフィールド群以前に配置されサブフィールド群が発光維持動作する場合に常時点灯するサブフィールドの数を１つにすることができ、複数のサブフィールドを常時点灯させる場合に比べて、時間短縮ができる。またこれにより常時点灯させることにともなう書き込み動作の回数も１回にできるため、書き込み動作の回数に比例して増加するデータドライバモジュールの消費電力を低減することができる。
【手続補正９】
【補正対象書類名】明細書
【補正対象項目名】００１９
【補正方法】変更
【補正の内容】
【００１９】
本発明の請求項４に記載の駆動方法は常時点灯させるサブフィールドのうち少なくとも１つのサブフィールドは、直前のフィールドにおいて１フィールドを構成する各サブフィールドが発光維持動作した回数によって決まることを特徴とするプラズマディスプレイの駆動方法である。これにより直前のフィールドにおける発光維持動作の回数が十分多い場合、所定の放電セルにおける放電ガスは十分に活性化されており放電しやすい状態にあるため、サブフィールド群以前に配置されるサブフィールドでの発光維持動作を行うことなく、サブフィールド群における書き込み動作を正常に行うことができる。従って、サブフィールド群以前に配置されるサブフィールドでの書き込み動作によるデータドライバモジュールの消費電力を低減することができる。
【手続補正１０】
【補正対象書類名】明細書
【補正対象項目名】００２０
【補正方法】変更
【補正の内容】
【００２０】
本発明の請求項５に記載の駆動方法はサブフィールド群を形成するサブフィールドの発光輝度の重みはサブフィールド群が点灯する場合でのみサブフィールド以前に点灯させるサブフィールドの発光輝度の重みによって決まることを特徴とするプラズマディスプレイの駆動方法である。これによりサブフィールド群以前に常時点灯するサブフィールドの発光輝度の重みに応じてサブフィールド群において発光維持動作させるサブフィールドの発光輝度の重みを選択することができ、サブフィールド群以前にサブフィールドが常時点灯することによる階調性の劣化を防ぐことができる。
【手続補正１１】
【補正対象書類名】明細書
【補正対象項目名】００２１
【補正方法】変更
【補正の内容】
【００２１】
本発明の請求項６から１０に記載のプラズマディスプレイの駆動装置によって、請求項１から５に記載の駆動方法を実行した場合と同様の作用効果を奏することができるようになる。
【手続補正１２】
【補正対象書類名】明細書
【補正対象項目名】００４０
【補正方法】変更
【補正の内容】
【００４０】
【発明の効果】
以上のように本発明はプラズマディスプレイの駆動であって、連続した少なくとも２つ以上のサブフィールドによりサブフィールド群を形成し、１つのサブフィールド群では各サブフィールドの発光維持動作を終了せしめる消去初期化期間をサブフィールド群の最終サブフィールドのみに設ける駆動であって、サブフィールド群において書き込み動作を行う場合のみ、サブフィールド群以前に配置されているサブフィールド群を形成しないサブフィールドのうち少なくとも１つ以上のサブフィールドを常時点灯させ、前記常時点灯させるサブフィールドのうち少なくとも１つのサブフィールドは、後続において点灯する前記サブフィールド群の直前に配置されていることで、所定の放電セルにおける放電ガスを活性化し、後続のサブフィールド群における書き込み動作を確実に行うことができる。